(57)【要約】【課題】簡易な構成で帯電によるサージの発生を防止することができる可搬型放射線撮影装置、放射線撮影台、及び放射線撮影装置システムを提供する。【解決手段】電子カセッテ１２の筐体２０の撮影領域２２Ａが形成される面の反対側となる他方の面の少なくとも一部及び把持部６１の少なくとも一方に導電性領域を設ける。【選択図】図２
2012053147.tif 000002
【特許請求の範囲】
【請求項１】
筐体が平板状に形成されると共にユーザにより把持される把持部が設けられ、当該筐体内に放射線検出器が内蔵され、当該筐体の一方の面に前記放射線検出器により放射線画像が撮影される撮影領域が形成され、前記筐体の他方の面の少なくとも一部及び前記把持部の少なくとも一方に導電性領域が設けられた可搬型放射線撮影装置。
【請求項２】
前記把持部に導電性領域が設けられた
請求項１記載の可搬型放射線撮影装置。
【請求項３】
前記筐体の他方の面の周辺部に導電性領域が設けられた
請求項１又は請求項２記載の可搬型放射線撮影装置。
【請求項４】
前記導電性領域は、体積固有抵抗値が１０12Ω・ｃｍ以下である
請求項１記載の可搬型放射線撮影装置。
【請求項５】
請求項２又は請求項３記載の前記可搬型放射線撮影装置を収容可能な収容部と、
前記収容部に収容された前記可搬型放射線撮影装置の導電性領域が設けられた把持部又は前記筐体の他方の面の周辺部と係合可能な導電性の係合部材と、
を備えた放射線撮影台。
【請求項６】
筐体が平板状に形成されると共にユーザにより把持される把持部が設けられ、当該筐体内に放射線検出器が内蔵され、当該筐体の一方の面に前記放射線検出器により放射線画像が撮影される撮影領域が形成され、少なくとも前記把持部又は筐体の他方の面の周辺部に導電性領域が設けられた可搬型放射線撮影装置と、
前記可搬型放射線撮影装置を収容可能な収容部、及び前記収容部に収容された前記可搬型放射線撮影装置の把持部又は筐体の他方の面の周辺部と係合可能な導電性の係合部材を備えた放射線撮影台と、
を有する放射線撮影システム。
【発明の詳細な説明】
【技術分野】
【０００１】
本発明は、可搬型放射線撮影装置、放射線撮影台、及び放射線撮影装置システムに係り、特に、帯電によるサージを防止する可搬型放射線撮影装置、放射線撮影台、及び放射線撮影装置システムに関する。
【背景技術】
【０００２】
近年、ＴＦＴ（Thin Film Transistor）アクティブマトリクス基板上に放射線感応層を配置し、Ｘ線などの放射線を直接デジタルデータに変換できるＦＰＤ（Flat Panel Detector）等の放射線検出器が実用化されており、この放射線検出器を用いて、照射された放射線により表わされる放射線画像を示す画像データを生成し、生成した画像データを記憶する可搬型放射線撮影装置（以下「電子カセッテ」ともいう）が実用化されている。
【０００３】
この電子カセッテは、可搬性を有するため、ストレッチャーやベッドに載せたまま患者を撮影することもでき、電子カセッテの位置を変更することにより撮影箇所を調整することができるため、動けない患者に対しても柔軟に対処することができる。
【０００４】
ところで、電子カセッテは、撮影者の衣服や患者の衣服、べッド上にシーツ・毛布等で擦れたことにより帯電してサージが発生し、内部の電子機器が破壊される場合がある。
【０００５】
このサージを防止する技術として、特許文献１には、電子カセッテ内に、放射線検出器および制御基板を包囲するように、アルミニウム箔などの導電部材が設け、かつ導電部材を電気的に接地する技術が記載されている。
【先行技術文献】
【特許文献】
【０００６】
【特許文献１】特開平７−２８０９４４号公報
【発明の概要】
【発明が解決しようとする課題】
【０００７】
しかしながら、特許文献１のように、電子カセッテ内の放射線検出器および制御基板を包囲するように導電部材が設ける場合、電子カセッテの構造が複雑となる。
【０００８】
本発明は上記事実に鑑みてなされたものであり、簡易な構成で帯電によるサージよって内部の電子機器が破壊されることを防止することができる可搬型放射線撮影装置、放射線撮影台、及び放射線撮影装置システムを提供することを目的とする。
【課題を解決するための手段】
【０００９】
上記目的を達成するために、請求項１に記載の可搬型放射線撮影装置は、筐体が平板状に形成されると共にユーザにより把持される把持部が設けられ、当該筐体内に放射線検出器が内蔵され、当該筐体の一方の面に前記放射線検出器により放射線画像が撮影される撮影領域が形成され、前記筐体の他方の面の少なくとも一部及び前記把持部の少なくとも一方に導電性領域が設けられている。
【００１０】
このように、請求項１に記載の発明によれば、筐体の撮影領域が形成される面の反対側となる他方の面の少なくとも一部及び把持部の少なくとも一方に導電性領域を設けるという簡易な構成で、撮影の際、他方の面が設置面となって導電性領域から帯電による電荷が流れ出し、あるいは、ユーザが把持部を把持した際にユーザを介して電荷が流れ出し、帯電によるサージの発生を防止できるため、帯電によるサージよって内部の電子機器が破壊されることを防止することができる。
【００１１】
なお、本発明は、請求項２記載の発明のように、少なくとも前記把持部に導電性領域が設けられることが好ましい。
【００１２】
また、本発明は、請求項３記載の発明のように、筐体の他方の面の周辺部に導電性領域が設けられてもよい。
【００１３】
また、本発明は、請求項４記載の発明のように、前記導電性領域の体積固有抵抗値が１０12Ω・ｃｍ以下であることが好ましい。
【００１４】
一方、上記目的を達成するために、請求項５記載の放射線撮影台は、請求項２記載の前記可搬型放射線撮影装置を収容可能な収容部と、前記収容部に収容された前記可搬型放射線撮影装置の導電性領域が設けられた把持部又は前記筐体の他方の面の周辺部と係合可能な導電性の係合部材と、を備えている。
【００１５】
従って、本発明によれば、前記可搬型放射線撮影装置の導電性領域が設けられた把持部又は前記筐体の他方の面の周辺部に係合部材を係合させるという簡単な構成で帯電によるサージよって内部の電子機器が破壊されることを防止することができる。
【００１６】
一方、上記目的を達成するために、請求項６記載の放射線撮影システムは、筐体が平板状に形成されると共にユーザにより把持される把持部が設けられ、当該筐体内に放射線検出器が内蔵され、当該筐体の一方の面に前記放射線検出器により放射線画像が撮影される撮影領域が形成され、少なくとも前記把持部又は筐体の他方の面の周辺部に導電性領域が設けられた可搬型放射線撮影装置と、前記可搬型放射線撮影装置を収容可能な収容部、及び前記収容部に収容された前記可搬型放射線撮影装置の把持部又は筐体の他方の面の周辺部と係合可能な導電性の係合部材を備えた放射線撮影台と、を有している。
【００１７】
従って、本発明によれば、請求項５同様に作用するため、簡単な構成で帯電によるサージよって内部の電子機器が破壊されることを防止することができる。
【発明の効果】
【００１８】
本発明によれば、簡単な構成で帯電によるサージよって内部の電子機器が破壊されることを防止することができる、という効果が得られる。
【図面の簡単な説明】
【００１９】
【図１】第１の実施の形態に係る放射線撮影システムの構成を示す斜視図である。
【図２】実施の形態に係る電子カセッテの構成を示す透過斜視図である。
【図３】実施の形態に係る電子カセッテの内部構成を示す断面図である。
【図４】第２の実施の形態に係る放射線撮影システムの構成を示す斜視図である。
【図５】第２の実施の形態に係る臥位撮影台の収容部付近を拡大した透過斜視図である。
【図６】（Ａ）は電子カセッテを臥位撮影台の収容部に収容した状態を示す図であり、（Ｂ）は電子カセッテの把持部に係合部材を係合させた状態を示す図である。
【図７】他の形態に係る臥位撮影台の収容部の構成を示す断面図である。
【図８】実施の形態に係る電子カセッテを患者の下部に挿入する様子を示す斜視図である。
【発明を実施するための形態】
【００２０】
以下、図面を参照して、本発明を実施するための形態について詳細に説明する。なお、ここでは、本発明を、電子カセッテを用いて放射線画像の撮影を行う放射線撮影システムに適用した場合の形態例について説明する。
【００２１】
［第１の実施の形態］
図１には、第１の実施の形態に係る撮影システム１０を病室に配置した状態が示されている。
【００２２】
放射線撮影システム１０は、可搬性を有し、照射された放射線により表わされる放射線画像を示す画像情報を生成する電子カセッテ１２と、放射線を発生する放射線発生装置８０と、電子カセッテ１２，放射線発生装置８０を制御するコンソール９０と、を備えている。
【００２３】
電子カセッテ１２は、ベッド１５と当該ベッド１５に仰臥している患者１７との間に配置されている。
【００２４】
本実施の形態に係る放射線発生装置８０は、アーム８２を備えており、アーム８２の一端には放射線源８４が設けられる。また、放射線発生装置８０は、本体部８６の底部には車輪８８が設けられており、病院内を移動可能とされている。
【００２５】
本実施の形態に係るコンソール９０は、ノート型等のパーソナルコンピュータにより構成されており、撮影者から撮影条件などの撮影に関する各種操作入力を受け付ける。
【００２６】
放射線源８４は、ベッド１５に仰臥している患者１７の上部に配置されている。
【００２７】
放射線発生装置８０は、コンソール９０で放射線画像の撮影が指示されると、撮影条件等に応じた放射線量の放射線を照射する。放射線発生装置８０から射出された放射線は、患者１７を透過することで画像情報を担持した後に電子カセッテ１２に照射される。
【００２８】
図２には、本実施の形態に係る電子カセッテ１２の構成を示す透過斜視図が示されている。
【００２９】
電子カセッテ１２は、放射線Ｘを透過させる材料から成り厚みを有する平板状の筐体２０によって覆われている。筐体２０のうちの特定の側面には電子カセッテ１２を持ち上げる際に手で持つことできるように把持部６１が設けられている。
【００３０】
本実施の形態に係る電子カセッテ１２は、筐体２０の内部に、放射線Ｘが照射される筐体２０の照射面２２側から、患者を透過した放射線Ｘを検出する放射線検出器２６、および放射線検出器２６を制御する制御基板２７が順に設けられている。照射面２２は、放射線検出器２６が配置された範囲に対応し、放射線検出器２６により放射線画像が撮影される領域が撮影領域２２Ａとされている。なお、放射線検出器２６は、例えば、放射線Ｘを直接、セレンを主成分（例えば含有率５０％以上）とする非晶質のアモルファスセレン（ａ−Ｓｅ）から成る半導体層で電荷に変換して蓄積する直接変換方式のものでもよく、放射線Ｘを一度ガドリニウム硫酸化物（ＧＯＳ）やヨウ化セシウム（ＣｓＩ）などのシンチレータで光に変換し、変換した光を電変換素子（フォトダイオード）で電荷に変換して蓄積する間接変換方式のものであってもよい。
【００３１】
図３には、本実施の形態に係る電子カセッテ１２の内部構成を示す断面図が示されている。
【００３２】
筐体２０は、撮影の際に患者側となり、照射面２２が形成されたフロントパネル６０と、患者と反対側となるバックパネル６２とが対向されて設けられている。フロントパネル６０は、天板６４と、天板６４を保持する保持部６６により構成されている。
【００３３】
筐体２０内には、放射線検出器２６、及び制御基板２７が重なるように内蔵されている。
【００３４】
放射線検出器２６は天板６４のバックパネル６２側の面に貼付けている。制御基板２７はバックパネル６２に設けられた導電性の支持部材６８により支持されている。
【００３５】
本実施の形態では、天板６４をカーボンで形成している。これにより、放射線の吸収を抑えつつ強度を確保している。また、保持部６６は、例えば、ＡＢＳ樹脂などの剛性の高い部材により形成している。
【００３６】
天板６４は、放射線検出器２６により放射線画像が撮影される領域が撮影領域２２Ａとされている。
【００３７】
保持部６６は、撮影領域２２Ａの縁から端までの間で筐体２０の厚さが除々に減少するように傾斜している。このように、筐体２０の端部部分を傾斜させることにより、傾斜した傾斜領域の強度が撮影領域よりも高くなる。
【００３８】
一方、バックパネル６２は、剛性の高い導電性部材により形成されている。この剛性の高い導電性部材としては、例えば、炭素繊維などをコンパウンドしたＡＢＳ樹脂など様々挙げることができる。このバックパネル６２は、体積固有抵抗値が１０12Ω・ｃｍ以下であればよく、導体（体積固有抵抗値が０Ω・ｃｍ）も含まれる。好ましくは１０11Ω・ｃｍ以下、より好ましくは１０10Ω・ｃｍ以下の材料により形成する。
【００３９】
また、本実施の形態に係る電子カセッテ１２は、把持部６１も、例えば、炭素繊維などをコンパウンドしたＡＢＳ樹脂など剛性の高い導電性部材により形成している。
【００４０】
放射線検出器２６の端部にはコネクタ３２が設けられ、制御基板２７の端部にはコネクタ４６が設けられており、コネクタ３２とコネクタ４６はフレキシブルケーブル４４が接続されている。すなわち、放射線検出器２６、及び制御基板２７は、フレキシブルケーブル４４を介して電気的に接続されている。
【００４１】
次に、本実施の形態に係る放射線撮影システム１０の作用について説明する。
【００４２】
例えば、図１に示すように、病室で患者１７の撮影を行う場合、撮影者は、放射線画像の撮影する際、図８に示すように、患者１７の撮影部位の下部に電子カセッテ１２を挿入する。
【００４３】
ところで、電子カセッテ１２は、撮影者の衣服や患者１７の衣服、べッド上にシーツ・毛布等で擦れたことにより帯電する場合がある。
【００４４】
そこで、本実施の形態では、電子カセッテ１２のバックパネル６２を剛性の高い導電性部材で形成して導電性を有するようにしている。これにより、電子カセッテ１２を臥位撮影台１６に置いた際にバックパネル６２を介して電荷が放電される。
【００４５】
また、本実施の形態では、電子カセッテ１２の把持部６１も剛性の高い導電性部材で形成して導電性を有するようにしている。これにより、撮影者が電子カセッテ１２を搬送する際や臥位撮影台１６上で電子カセッテ１２の位置を変える際に把持部６１を把持した際に、撮影者を介して電荷が放電される。
【００４６】
以上のように本実施の形態によれば、バックパネル６２を導電性部材で形成して全面を導電性領域とし、撮影の際、バックパネル６２が設置面となってバックパネル６２から帯電による電荷が流れ出すため、電子カセッテ１２の帯電によるサージの発生を防止することができる。また、把持部６１を導電性部材で形成して導電性領域としたことにより、撮影者が把持部６１を把持した際に撮影者を介して電荷が流れ出し、電子カセッテ１２の帯電によるサージの発生を防止できるため、帯電によるサージよって内部の電子機器が破壊されることを防止することができる。
【００４７】
［第２の実施の形態］
次に、第２の実施の形態について説明する。
【００４８】
図４には、本実施の形態に係る放射線撮影システム１０を示す斜視図が示されている。なお、図４では、コンソール９０を省略している。また、放射線発生装置８０については放射線源８４のみを図示している。
【００４９】
放射線撮影システム１０は、電子カセッテ１２と、電子カセッテ１２を収容する収容部１４が設けられ、臥位での放射線撮影を行う際に患者が横臥するための臥位撮影台１６をさらに備えている。
【００５０】
電子カセッテ１２は、臥位撮影台１６の収容部１４に収容されることにより、放射線を発生する放射線源８４と間隔を空けて配置される。このときの放射線源８４と電子カセッテ１２との間は、患者が位置するための撮影位置とされている。放射線源８４は、放射線画像の撮影が指示されると、予め与えられた撮影条件等に応じた放射線量の放射線Ｘを照射する。放射線発生装置８０から射出された放射線Ｘは、撮影位置に位置している患者を透過することで画像情報を担持した後に電子カセッテ１２に照射される。
【００５１】
なお、電子カセッテ１２は、臥位撮影台１６の収容部１４で保持された状態のみで使用されるものではなく、その可搬性から、収容部１４に収容せず、臥位撮影台１６上に配置した状態で使用することもできる。
【００５２】
図５には、本実施の形態に係る臥位撮影台１６の収容部１４付近を拡大した透過斜視が示されている。
【００５３】
臥位撮影台１６の収容部１４の入口付近の下部には、軸体７２で揺動可能に臥位撮影台１６に支持されたフック７０が設けられている。フック７０は先端部に係合爪７０Ａが形成されている。フック７０は、導電性部材により形成しており、不図示の配線により接地されている。フック７０は、電子カセッテ１２が収容部１４に収納された状態で、軸体７２を中心として上部に回転させることにより、係合爪７０Ａが電子カセッテ１２の把持部６１と係合可能とされている。
【００５４】
次に、本実施の形態に係る放射線撮影システム１０の作用について説明する。
【００５５】
撮影者は、放射線画像の撮影する際、臥位撮影台１６の収容部１４に電子カセッテ１２を収納し、収容部１４の上部に患者１７の撮影部位を配置する。
【００５６】
また、撮影者は、図６（Ａ）（Ｂ）に示すように、軸体７２を中心としてフック７０を上部に回転させて係合爪７０Ａを電子カセッテ１２の把持部６１と係合させる。これにより、収容部１４に電子カセッテ１２を収納した際でもフック７０を把持部６１に係合させることにより、フック７０を介して電荷が放電される。
【００５７】
以上のように本実施の形態によれば、電子カセッテ１２の把持部６１を導電性部材で形成して導電性領域とし、また、臥位撮影台１６の収容部１４に導電性のフック７０を設けてフック７０を把持部６１に係合させることにより、フック７０を介して電荷が流れ出し、電子カセッテ１２の帯電によるサージの発生を防止できるため、帯電によるサージよって内部の電子機器が破壊されることを防止することができる。
【００５８】
以上、本発明を上記第１及び第２の実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００５９】
例えば、上記第１の実施の形態では、バックパネル６２全体を剛性の高い導電性部材により形成して全体を導電性を有するものとした場合について説明したが、本発明はこれに限定されるものではない。例えば、照射面２２を上として電子カセッテ１２を臥位撮影台１６に置いた場合に、バックパネル６２の臥位撮影台１６と接触する接触面全て又は一部を導電性を有する部材で形成するようにしてもよい。
【００６０】
また、上記第２の実施の形態では、収容部１４に収納された電子カセッテ１２の把持部６１に係合部材としてフック７０を係合させる場合について説明したが、本発明はこれに限定されるものではない。例えば、導電性のテープや電子カセッテ１２を収容部１４内で固定するための導電性の他の固定部材を接触させるようにしてもよい。
【００６１】
また、上記第２の実施の形態では、臥位撮影台１６の収容部１４の入口付近の下部にフック７０を設けた場合について説明したが、本発明はこれに限定されるものではなく、収容部１４の内部に係合する係合部材を設けてもよい。例えば、図７に示すように、電子カセッテ１２のバックパネル６２の周辺部を導電性部材により形成して周辺部（図７のＡ、Ｂ付近）を導電性を有するものとし、収容部１４の奥側など収容部１４内の周辺に電子カセッテ１２の周辺角部と係合する導電性でコの字型の係合部材７６を設けてもよい。この場合、電子カセッテ１２を取り出すために電子カセッテ１２を持ち上げた際に電子カセッテ１２の周辺部が係合部材７６と接触して電荷が流れ出し、電子カセッテ１２の帯電によるサージの発生を防止できるため、帯電によるサージよって内部の電子機器が破壊されることを防止することができる。
【００６２】
また、上記各実施の形態では、放射線としてＸ線を検出することにより放射線画像を撮影する放射線撮影装置に本発明を適用した場合について説明したが、本発明はこれに限定されるものではない。例えば、検出対象とする放射線は、Ｘ線の他、ガンマ線、粒子線等いずれであってもよい。
【００６３】
また、上記第２の実施の形態では、撮影台として臥位撮影台１６に本発明を適用した場合について説明したが、本発明はこれに限定されるものではない。例えば、立位の撮影台や、カセッテをセットして撮影を行うマンモグラフィ用の撮影台など様々な撮影台に適用できる。
【００６４】
その他、上記実施の形態で説明した構成は一例であり、本発明の主旨を逸脱しない範囲内において、不要な部分を削除したり、新たな部分を追加したり、接続状態等を変更したりすることができることは言うまでもない。
【符号の説明】
【００６５】
１０    放射線撮影システム
１２    電子カセッテ（可搬型放射線撮影装置）
１４    収容部
１６    臥位撮影台
２０    筐体
２６    放射線検出器
６０    フロントパネル
６１    把持部
６２    バックパネル
７０    フック
【図１】
2012053147.tif 000003
【図２】
2012053147.tif 000004
【図３】
2012053147.tif 000005
【図４】
2012053147.tif 000006
【図５】
2012053147.tif 000007
【図６】
2012053147.tif 000008
【図７】
2012053147.tif 000009
【図８】
2012053147.tif 000010